(57)【特許請求の範囲】
【請求項１】
表示画面を有する表示手段と、
前記表示手段の表示画面の前面に配置され機器の操作入力を行うための静電型タッチパネルと、
前記タッチパネルの額縁部近傍へユーザーの手が近接したことを検出する近接検出手段と、
前記タッチパネルへのユーザーのタッチを検出してタッチ位置の座標を読み取る座標検出手段と、
前記近接検出手段によりタッチパネルの額縁部近傍へのユーザーの手の近接が検出されている状態では、タッチパネルの額縁部近傍をユーザーがタッチしたときの前記座標検出手段によるタッチの検出が無効となるようにタッチ検出領域を変更する制御手段と、
を備え、
前記制御手段は、前記近接検出手段によりタッチパネルの額縁部近傍へのユーザーの手の近接が検出されたタイミングで、タッチ検出領域を変更することを特徴とする操作入力装置。
【請求項２】
表示画面を有する表示手段と、
前記表示手段の表示画面の前面に配置され機器の操作入力を行うための静電型タッチパネルと、
前記タッチパネルの額縁部近傍へユーザーの手が近接したことを検出するとともに、ユーザの近接を検出するための第１のしきい値と該第１のしきい値よりも大きい第２のしきい値を備えた近接検出手段と、
前記タッチパネルへのユーザーのタッチを検出してタッチ位置の座標を読み取る座標検出手段と、
前記近接検出手段によりタッチパネルの額縁部近傍へのユーザーの手の近接が検出されている状態では、タッチパネルの額縁部近傍をユーザーがタッチしたときの前記座標検出手段によるタッチの検出が無効となるようにタッチ検出領域を変更する制御手段と、
を備え、
前記制御手段は、前記近接検出手段の第１のしきい値による第１の検出結果と、第２のしきい値による第２の検出結果に基づいてタッチ検出領域を変更することを特徴とする操作入力装置。
【請求項３】
前記近接検出手段は、前記タッチパネルの額縁部全周を複数の領域に区分けしてユーザーの手の近接を検出するための複数個の検出素子を備えている請求項１または２に記載の操作入力装置。
【請求項４】
前記制御手段は、ユーザーの手の近接を検出した額縁部の領域に対応して、タッチパネルのタッチ検出領域を部分的に縮小する請求項３に記載の操作入力装置。
【請求項５】
前記制御手段は、タッチパネルのタッチ検出領域の縮小に合わせて、前記表示手段における表示画面の描画エリアを縮小する請求項４に記載の操作入力装置。
【請求項６】
前記制御手段は、タッチパネルのタッチ検出領域の縮小に合わせて、前記表示手段における表示画面の描画エリアをタッチ検出領域の縮小方向にシフトさせる請求項４に記載の操作入力装置。
【請求項７】
前記制御手段は、前記近接検出手段によるタッチパネルの額縁部近傍へのユーザーの手の近接検出が消失したタイミングで、前記タッチ検出領域の変更を解除する請求項１〜６の何れかに記載の操作入力装置。
【請求項８】
前記近接検出手段の検出素子は、前記静電型タッチパネルの透明電極が形成されている基材上に設けられている請求項３〜７の何れかに記載の操作入力装置。
【請求項９】
表示画面を有する表示手段と、前記表示手段の表示画面上に設けられ、機器の操作入力を行うための静電型タッチパネルと、を備えた操作入力装置のコンピュータにタッチ検出領域の変更処理を実行させるためのプログラムであって、
前記タッチパネルの額縁部近傍へユーザーの手が近接したことを検出する近接検出ステップと、
前記タッチパネルへのユーザーのタッチを検出してタッチ位置の座標を読み取る座標検出ステップと、
前記近接検出ステップにおいてタッチパネルの額縁部近傍へのユーザーの手の近接が検出されている状態では、タッチパネルの額縁部近傍をユーザーがタッチしたときの前記座標検出ステップにおけるタッチの検出が無効となるようにタッチ検出領域を変更する制御ステップと、
を前記コンピュータに実行させ、
前記制御ステップでは、前記近接検出ステップによりタッチパネルの額縁部近傍へのユーザーの手の近接が検出されたタイミングで、タッチ検出領域を変更する処理を前記コンピュータに実行させるためのプログラム。
【請求項１０】
表示画面を有する表示手段と、前記表示手段の表示画面上に設けられ、機器の操作入力を行うための静電型タッチパネルと、を備えた操作入力装置のコンピュータにタッチ検出領域の変更処理を実行させるためのプログラムであって、
前記タッチパネルの額縁部近傍へユーザーの手が近接したことを検出する近接検出ステップと、
前記タッチパネルへのユーザーのタッチを検出してタッチ位置の座標を読み取る座標検出ステップと、
前記近接検出ステップにおいてタッチパネルの額縁部近傍へのユーザーの手の近接が検出されている状態では、タッチパネルの額縁部近傍をユーザーがタッチしたときの前記座標検出ステップにおけるタッチの検出が無効となるようにタッチ検出領域を変更する制御ステップと、
を前記コンピュータに実行させ、
前記制御ステップでは、前記近接検出ステップにおけるユーザの近接を検出するための第１のしきい値による第１の検出結果と、前記第１のしきい値よりも大きい第２のしきい値による第２の検出結果に基づいてタッチ検出領域を変更する処理を前記コンピュータに実行させるためのプログラム。
【発明の詳細な説明】
【技術分野】
【０００１】
この発明は、タブレット型の端末装置、画像形成装置の操作パネル等に用いられ、液晶等の表示手段の表示画面の前面に配置され機器の操作入力を行うための静電型タッチパネルを備えた操作入力装置、及び該操作入力装置のコンピュータにタッチ検出領域の変更処理を実行させるためのプログラムに関する。
【背景技術】
【０００２】
近年の液晶等の表示装置に設けられるタッチパネルとして静電型タッチパネルが広く導入されている。このような静電型タッチパネルは、狭額縁化及びフラットデザイン化の進展により、非検出エリアを含めて全面ガラスパネルが採用されてるようになっている。
【０００３】
このように、静電型タッチパネルの狭額縁化及びフラットデザイン化が進んでくると、タッチ操作の際に掌等がタッチパネルの周端部である額縁部近傍に誤ってタッチしやすく、これをタッチ検出により誤検出してしまうという問題がある。
【０００４】
特に、コピー機能、プリンタ機能、ファクシミリ機能、スキャン機能等、複数の機能を備えたＭＦＰと称される多機能デジタル画像形成装置等のような固定機器の大型の液晶タッチパネルのキーを操作する場合は、掌を支点として操作入力する場合に、掌がタッチパネルの額縁部近傍に誤ってタッチしてしまい、誤操作入力に繋がるという問題が発生している。
【０００５】
また、タッチパネルの近傍にハードウェアキーが配置されている場合は、ハードウェアキーの操作時に誤ってタッチパネルの周端部にタッチしてしまい易く、誤操作入力に繋がってしまう恐れがあった。
【０００６】
なお、特許文献１には、静電容量型の入力部材を用いた入力装置において、掌が触れたようなときの誤検出を防止するため、静電容量型の入力手段での検出点での検出最大値とその前後の検出値の演算を行い、この演算値が第１のしきい値以下のときは座標データの生成をキャンセルする技術が開示されている。
【先行技術文献】
【特許文献】
【０００７】
【特許文献１】特開２００２−８２７６５号公報
【発明の開示】
【発明が解決しようとする課題】
【０００８】
ところが、上述した特許文献１に開示される従来の操作入力装置では、ユーザーがタッチパネルにタッチした時点から掌か否かを判別するための検出と判定処理が行われる。このため、タッチ操作時に即座に座標検出を行うことができず、座標検出タイミングがタッチ動作に連動するような応答性が要求される操作入力装置には適用できないという問題があった。
【０００９】
この発明は、上述した技術的背景に鑑みてなされたものであって、静電型タッチパネルを用いた操作入力装置において、座標検出タイミングがタッチ動作に連動するような応答性が要求される場合であっても、掌等がタッチパネルの額縁部近傍にタッチした場合の誤検出による誤動作を防止することができる操作入力装置、及び該操作入力装置のコンピュータに誤検出の防止処理を実行させるためのプログラムの提供を課題とする。
【課題を解決するための手段】
【００１０】
上記課題は、以下の手段によって解決される。
（１）表示画面を有する表示手段と、前記表示手段の表示画面の前面に配置され機器の操作入力を行うための静電型タッチパネルと、前記タッチパネルの額縁部近傍へユーザーの手が近接したことを検出する近接検出手段と、前記タッチパネルへのユーザーのタッチを検出してタッチ位置の座標を読み取る座標検出手段と、前記近接検出手段によりタッチパネルの額縁部近傍へのユーザーの手の近接が検出されている状態では、タッチパネルの額縁部近傍をユーザーがタッチしたときの前記座標検出手段によるタッチの検出が無効となるようにタッチ検出領域を変更する制御手段と、を備え、前記制御手段は、前記近接検出手段によりタッチパネルの額縁部近傍へのユーザーの手の近接が検出されたタイミングで、タッチ検出領域を変更することを特徴とする操作入力装置。
（２）表示画面を有する表示手段と、前記表示手段の表示画面の前面に配置され機器の操作入力を行うための静電型タッチパネルと、前記タッチパネルの額縁部近傍へユーザーの手が近接したことを検出するとともに、ユーザの近接を検出するための第１のしきい値と該第１のしきい値よりも大きい第２のしきい値を備えた近接検出手段と、前記タッチパネルへのユーザーのタッチを検出してタッチ位置の座標を読み取る座標検出手段と、前記近接検出手段によりタッチパネルの額縁部近傍へのユーザーの手の近接が検出されている状態では、タッチパネルの額縁部近傍をユーザーがタッチしたときの前記座標検出手段によるタッチの検出が無効となるようにタッチ検出領域を変更する制御手段と、を備え、前記制御手段は、前記近接検出手段の第１のしきい値による第１の検出結果と、第２のしきい値による第２の検出結果に基づいてタッチ検出領域を変更することを特徴とする操作入力装置。
（３）前記近接検出手段は、前記タッチパネルの額縁部全周を複数の領域に区分けしてユーザーの手の近接を検出するための複数個の検出素子を備えている前項１または２に記載の操作入力装置。
（４）前記制御手段は、ユーザーの手の近接を検出した額縁部の領域に対応して、タッチパネルのタッチ検出領域を部分的に縮小する前項３に記載の操作入力装置。
（５）前記制御手段は、タッチパネルのタッチ検出領域の縮小に合わせて、前記表示手段における表示画面の描画エリアを縮小する前項４に記載の操作入力装置。
（６）前記制御手段は、タッチパネルのタッチ検出領域の縮小に合わせて、前記表示手段における表示画面の描画エリアをタッチ検出領域の縮小方向にシフトさせる前項４に記載の操作入力装置。
（７）前記制御手段は、前記近接検出手段によるタッチパネルの額縁部近傍へのユーザーの手の近接検出が消失したタイミングで、前記タッチ検出領域の変更を解除する前項１〜６の何れかに記載の操作入力装置。
（８）前記近接検出手段の検出素子は、前記静電型タッチパネルの透明電極が形成されている基材上に設けられている前項３〜７の何れかに記載の操作入力装置。
（９）表示画面を有する表示手段と、前記表示手段の表示画面上に設けられ、機器の操作入力を行うための静電型タッチパネルと、を備えた操作入力装置のコンピュータにタッチ検出領域の変更処理を実行させるためのプログラムであって、前記タッチパネルの額縁部近傍へユーザーの手が近接したことを検出する近接検出ステップと、前記タッチパネルへのユーザーのタッチを検出してタッチ位置の座標を読み取る座標検出ステップと、前記近接検出ステップにおいてタッチパネルの額縁部近傍へのユーザーの手の近接が検出されている状態では、タッチパネルの額縁部近傍をユーザーがタッチしたときの前記座標検出ステップにおけるタッチの検出が無効となるようにタッチ検出領域を変更する制御ステップと、を前記コンピュータに実行させ、前記制御ステップでは、前記近接検出ステップによりタッチパネルの額縁部近傍へのユーザーの手の近接が検出されたタイミングで、タッチ検出領域を変更する処理を前記コンピュータに実行させるためのプログラム。
（１０）表示画面を有する表示手段と、前記表示手段の表示画面上に設けられ、機器の操作入力を行うための静電型タッチパネルと、を備えた操作入力装置のコンピュータにタッチ検出領域の変更処理を実行させるためのプログラムであって、前記タッチパネルの額縁部近傍へユーザーの手が近接したことを検出する近接検出ステップと、前記タッチパネルへのユーザーのタッチを検出してタッチ位置の座標を読み取る座標検出ステップと、前記近接検出ステップにおいてタッチパネルの額縁部近傍へのユーザーの手の近接が検出されている状態では、タッチパネルの額縁部近傍をユーザーがタッチしたときの前記座標検出ステップにおけるタッチの検出が無効となるようにタッチ検出領域を変更する制御ステップと、を前記コンピュータに実行させ、前記制御ステップでは、前記近接検出ステップにおけるユーザの近接を検出するための第１のしきい値による第１の検出結果と、前記第１のしきい値よりも大きい第２のしきい値による第２の検出結果に基づいてタッチ検出領域を変更する処理を前記コンピュータに実行させるためのプログラム。
【発明の効果】
【００１１】
前項（１）に記載の発明によれば、近接検出手段によりタッチパネルの額縁部近傍へのユーザーの手の近接が検出されている状態では、タッチパネルの額縁部近傍をユーザーがタッチしたときの座標検出手段によるタッチの検出が無効となるようにタッチ検出領域が変更されるから、例えば掌を支点として操作入力する場合等において、ユーザーの掌がタッチパネルの額縁部近傍に誤ってタッチしたときであっても、そのタッチは無効となり、誤操作を防止できる。しかも、タッチパネルの額縁部近傍へユーザーの手がタッチする前に近接検出手段により近接が検出されるから、タッチしたときにそのタッチを無効とすることができ、ユーザーがタッチパネルにタッチした時点から掌か否かを判別する従来技術に比べて、応答性の点で格段に優れたものとなり、座標検出タイミングがタッチ動作に連動するような応答性が要求される場合であっても十分に対応することができる。また、近接検出手段によりタッチパネルの額縁部近傍へのユーザーの手の近接が検出されたタイミングで、タッチ検出領域が変更されるから、ユーザーがタッチしたときにはそのタッチを直ちに無効とすることができ、応答性の確保をより確実なものとすることができる。
前項（２）に記載の発明によれば、近接検出手段は、ユーザの近接を検出するための第１のしきい値と該第１のしきい値よりも大きい第２のしきい値を備え、第１のしきい値による第１の検出結果と、第２のしきい値による第２の検出結果に基づいてタッチ検出領域が変更されるから、ユーザーの掌等が接近したことをより確実に検出・判定することができる。
【００１２】
前項（３）に記載の発明によれば、近接検出手段は、タッチパネルの額縁部全周を複数の領域に区分けしてユーザーの手の近接を検出するための複数個の検出素子を備えているから、タッチパネルの額縁部全周のうち近接が検出された領域に対応して、タッチ検出領域の変更を部分的に行うことができ、タッチ検出領域の変更が不要な範囲まで変更されてしまう不都合をなくすことができる。
【００１３】
前項（４）に記載の発明によれば、ユーザーの手の近接を検出した額縁部の領域に対応して、タッチパネルのタッチ検出領域が部分的に縮小されることにより、タッチパネルの額縁部近傍をユーザーが誤ってタッチしたときのタッチの検出を確実に無効にできる。
【００１４】
前項（５）に記載の発明によれば、タッチパネルのタッチ検出領域の縮小に合わせて、表示手段における表示画面の描画エリアも縮小されるから、縮小後のタッチ検出領域と描画エリアを一致させることができる。
【００１５】
前項（６）に記載の発明によれば、タッチパネルのタッチ検出領域の縮小に合わせて、表示手段における表示画面の描画エリアをタッチ検出領域の縮小方向にシフトさせるから、縮小後のタッチ検出領域と描画エリアを一致させることができる。
【００１８】
前項（７）に記載の発明によれば、近接検出手段によるタッチパネルの額縁部近傍へのユーザーの手の近接検出が消失したタイミングで、タッチ検出領域の変更は解除されるから、タッチ検出領域の変更が不要となったときには速やかに元のタッチ検出領域に復帰させることができる。
【００１９】
前項（８）に記載の発明によれば、近接検出手段の検出素子は、静電型タッチパネルの透明電極が形成されている基材上に設けられているから、構成が簡素化されコストを安価にできる。
【００２０】
前項（９）に記載の発明によれば、例えば掌を支点として操作入力する場合等において、ユーザーの掌がタッチパネルの額縁部近傍に誤ってタッチしたときであっても、そのタッチは無効となり、誤操作を防止できる。
【図面の簡単な説明】
【００２１】
【図１】本発明の一実施形態に係る操作入力装置が用いられたデジタルカラー複合機の全体概略構成図である。
【図２】同じくデジタルカラー複合機のエンジン部の詳細説明図である。
【図３】同じくデジタルカラー複合機の制御構成を示すブロック図である。
【図４】同じくデジタルカラー複合機における、操作入力装置が適用された操作パネルのブロック図である。
【図５】タッチパネルの群細構成を示す図である。
【図６】タッチパネルにおけるタッチ検出領域の縮小制御の説明図である。
【図７】操作入力装置の動作を示すフローチャートである。
【図８】図７のフローチャートにおける検出領域変更処理（ステップＳ５）のサブルーチンを示すフローチャートである。
【発明を実施するための形態】
【００２２】
以下、この発明の実施形態を図面に基づいて説明する。
【００２３】
図１は本発明の一実施形態に係る操作入力装置が搭載されている画像形成装置としてのタンデム型のデジタルカラー複合機を示すものであり、図２はデジタルカラー複合機のエンジン部分を詳細に説明するための説明図である。
【００２４】
上記デジタルカラー複合機は、セットされた原稿の画像を読み取ってハードディスクドライブ（ＨＤＤ）等の記憶部に蓄積するスキャンジョブ、さらにそれを用紙等に印刷（プリント）するコピージョブ、パーソナルコンピュータ等の外部端末から印刷指示を受けるとその指示に基づいて用紙に印刷するプリントジョブ、ファクシミリ装置等からファクシミリデータを受信して記憶部に蓄積するファクシミリジョブ、記憶部に記憶された画像データを用紙等に印刷するジョブ等を実行する機能を有するＭＦＰと呼ばれる装置である。
【００２５】
図１および図２において、装置本体１はタンデム型のデジタルカラー複合機の本体を示すものであり、デジタルカラー複合機は図１に示すように、本体１の上部に、原稿２を一枚ずつ分離した状態で自動的に搬送する自動原稿搬送装置（ＡＤＦ）３と、該自動原稿搬送装置３によって搬送される原稿２の画像を読み取る画像読取装置４が配設されている。この画像読取装置４は、プラテンガラス５上に載置された原稿２を光源６によって照明し、原稿２からの反射光像を、フルレートミラー７、ハーフレートミラー８、９及び結像レンズ１０からなる縮小光学系を介して、ＣＣＤ等からなる画像読取素子１１上に走査露光して、この画像読取素子１１によって原稿２の色材反射光像を所定のドット密度（例えば１６ドット／ｍｍ）で読み取るようになっている。
【００２６】
この画像読取装置４は、ファクシミリ送信原稿の読み取り機能、原稿を読み取って電子メールにより送信するScan to E-Mail 機能、原稿を読み取って記憶領域であるボックスに保存する機能等を実現する際に原稿を読み取るものである。この画像読取装置４によって読み取られた原稿２の色材反射光像は、例えば、赤（Ｒ）、緑（Ｇ）、青（Ｂ）（各８ｂｉｔ）の３色の原稿反射率データとして画像処理部１２に送られ、この画像処理部１２では、原稿２の反射率データに対して、シェーディング補正、位置ズレ補正、明度／色空間変換、ガンマ補正、枠消し、色／移動編集等の所定の画像処理が施される。また、画像処理部１２は、パーソナルコンピュータ等から送られてくる画像データに対しても、所定の画像処理を行なうようになっている。そして、上記の如く画像処理部１２で所定の画像処理が施された画像データは、同じく画像処理部１２によって、イエロー（Ｙ）、マゼンタ（Ｍ）、シアン（Ｃ）、黒（Ｋ）（各８ｂｉｔ）の４色の原稿再現色材階調データに変換され、次に述べるように、イエロー（Ｙ）、マゼンタ（Ｍ）、シアン（Ｃ）、黒（Ｋ）の各色の画像形成ユニット１３Ｙ、１３Ｍ、１３Ｃ、１３Ｋのプリントヘッド部１４に送られ、この画像露光装置としてのプリントヘッド部１４では、所定の色の原稿再現色材階調データに応じてレーザビームＬＢによる画像露光が行なわれる。
【００２７】
上記タンデム型のデジタルカラー複合機本体１の内部には、図２に示すように、上述したイエロー（Ｙ）、マゼンタ（Ｍ）、シアン（Ｃ）、黒（Ｋ）の４つの画像形成ユニット１３Ｙ、１３Ｍ、１３Ｃ、１３Ｋが、水平方向に一定の間隔をおいて並列的に配置されている。これらの４つの画像形成ユニット１３Ｙ、１３Ｍ、１３Ｃ、１３Ｋは、すべて同様に構成されており、大別して、所定の速度で回転駆動される像担持体としての感光体ドラム１５と、この感光体ドラム１５の表面を一様に帯電する一次帯電用の帯電ロール１６と、当該感光体ドラム１５の表面に所定の色に対応した画像を露光して静電潜像を形成する画像露光装置としてのプリントヘッド部１４と、感光体ドラム１５上に形成された静電潜像を所定の色のトナーで現像する現像器１７と、感光体ドラム１５の表面を清掃するクリーニング装置１８とから構成されている。上記プリントヘッド部１４は、図２に示すように４つの画像形成ユニット１３Ｙ、１３Ｍ、１３Ｃ、１３Ｋに共通に構成されており、図示しない４つの半導体レーザを各色の原稿再現色材階調データに応じて変調して、これらの半導体レーザからレーザビームＬＢ−Ｙ、ＬＢ−Ｍ、ＬＢ−Ｃ、ＬＢ−Ｋを階調データに応じて出射するように構成されている。なお、上記プリントヘッド部１４は、複数の画像形成ユニット毎に個別に構成しても勿論よい。
【００２８】
上記４つの半導体レーザから出射された各レーザビームＬＢ−Ｙ、ＬＢ−Ｍ、ＬＢ−Ｃ、ＬＢ−Ｋは、１つの回転多面鏡１９に照射され、この回転多面鏡１９によって偏向走査される。その際、上記４つの半導体レーザから出射された各レーザビームＬＢ−Ｙ、ＬＢ−Ｍ、ＬＢ−Ｃ、ＬＢ−Ｋのうち、レーザビームＬＢ−ＹとレーザビームＬＢ−Ｍは、回転多面１９の一方の側面に照射され、他のレーザビームＬＢ−ＣとレーザビームＬＢ−Ｋは、回転多面鏡１９の反対側の側面に照射され、この回転多面鏡１９によって偏向走査される。その結果、レーザビームＬＢ−Ｙ、ＬＢ−Ｍと、レーザビームＬＢ−Ｃ、ＬＢ−Ｋとでは、回転多面鏡１９によって偏向走査される方向が互いに逆方向となる。上記回転多面鏡１９によって偏向走査されたレーザＬＢ−Ｙ、ＬＢ−Ｍ、ＬＢ−Ｃ、ＬＢ−Ｋは、図示しないｆ−θレンズを介して、複数枚の反射ミラー２０１〜２０３によって反射され、各画像形成ユニットの感光体ドラム１５上に、ウインドウ２１を通して斜め下方から走査露光される。
【００２９】
上記画像処理部１２からは、イエロー（Ｙ）、マゼンタ（Ｍ）、シアン（Ｃ）、黒（Ｋ）の各色の画像形成ユニット１３Ｙ、１３Ｍ、１３Ｃ、１３Ｋに共通して設けられたプリントヘッド部１４に、各色の画像データが順次出力され、このプリントヘッド部１４から画像データに応じて出射されたレーザビームＬＢ−Ｙ、ＬＢ−Ｍ、ＬＢ−Ｃ、ＬＢ−Ｋは、対応する感光体ドラム１５の表面に走査露光され、静電潜像が形成される。
【００３０】
本実施形態では、図２に示すように、図示しない４つの半導体レーザから出射された４本のレーザビームＬＢ−Ｙ、ＬＢ−Ｍ、ＬＢ−Ｃ、ＬＢ−Ｋを、２つの画像形成ユニット１３Ｙ、１３Ｍと他の２つの画像形成ユニット１３Ｃ、１３Ｋとで、回転多面鏡１９の反対側に位置する面に照射して偏向走査するものであるため、回転多面鏡１９の片側に位置する面で偏向走査されるレーザビームＬＢ−Ｙ、ＬＢ−Ｍと、回転多面鏡１９の反対側に位置する面で偏向走査されるレーザビームＬＢ−Ｃ、ＬＢ−Ｋでは、感光体ドラム１５上に走査露光されるレーザビームの走査方向が、互いに反対方向となる。
【００３１】
そして、上記感光体ドラム１５上に形成された静電潜像は、現像器１７によって、それぞれイエロー（Ｙ）、マゼンタ（Ｍ）、シアン（Ｃ）、黒（Ｋ）の各色のトナー像として現像される。上記各画像形成ユニット１３Ｙ、１３Ｍ、１３Ｃ、１３Ｋの感光体ドラム１５上に、順次形成されたイエロー（Ｙ）、マゼンタ（Ｍ）、シアン（Ｃ）、黒（Ｋ）の各色のトナー像は、各画像形成ユニット１３Ｙ、１３Ｍ、１３Ｃ、１３Ｋの上方にわたって配置された中間転写ベルトユニット２２の中間転写ベルト２５上に、一次転写ロール２６によって多重に転写される。この中間転写ベルト２５は、ドライブロール２７と、バックァップロール２８と、テンショロール２４との間に一定のテンションで掛け回されており、図示しない定速性に優れた専用の駆動モーターによって回転駆動されるドライブロール２７により、一定方向に所定の速度で循環駆動されるようになっている。
【００３２】
上記中間転写ベルト２５上に多重に転写されたイエロー（Ｙ）、マゼンタ（Ｍ）、シアン（Ｃ）、黒（Ｋ）の各色のトナー像は、バックアップロール２８に圧接する二次転写ロール２９によって、圧接力及び静電気力で転写材としての転写用紙３０上に二次転写され、これらの各色のトナー像が転写された転写用紙３０は、上方に位置する定着器３１へと搬送される。上記二次転写ロール２９は、バックアップロール２８の側方に位置しており、下方から上方に向けて搬送される転写用紙３０上に、各色のトナー像を一括して二次転写するようになっている。そして、上記各色のトナー像が転写された転写用紙３０は、定着器３１によって熱及び圧力で定着処理を受けた後、排出ロール３２によって本体１の上部に設けられた排出トレイ３３上に排出される。
【００３３】
上記転写用紙３０は、図２に示すように、給紙カセット３４から所定のサイズのものが、給紙ロール３５及び用紙分離搬送用のロール対３６により用紙搬送路３７を介して、レジストロール３８まで一旦搬送され、停止される。上記給紙カセット３４から供給された転写用紙３０は、所定のタイミングで回転するレジストロール３８によって中間転写ベルト２５の二次転写位置へ送出される.なお、上記デジタルカラー複合機において、フルカラー等の両面コピーをとる場合には、片面に画像が定着された転写用紙３０を、排出ロール３２によって排出トレイ３３上にそのまま排出せずに、図示しない切替ゲートによって搬送方向を切り替え、用紙搬送用のロール対３９を介して両面用搬送ユニット４０へと搬送する。そして、この両面用搬送ユニット４０では、搬送経路４１に沿って設けられた図示しない搬送用のロール対により、転写用紙３０の表裏が反転された状態で、再度レジストロール３８へと搬送され、今度は、当該転写用紙３０の裏面に画像が転写・定着された後、排出トレイ３３上に排出される。図１及び図２中、４４Ｙ、４４Ｍ、４４Ｃ、４４Ｋは、イエロー（Ｙ）、マゼンタ（Ｍ）、シアン（Ｃ）、黒（Ｋ）の各色の現像器１７に、所定の色のトナーを供給するトナーカートリッジをそれぞれ示している。
【００３４】
図３は、本実施形態に係るデジタルカラー複合機の制御構成を示すブロック図である。
【００３５】
図３において、デジタルカラー複合機は、操作パネル１００、入力装置２００、認証装置３００、画像出力装置４００等を備えている。
【００３６】
前記操作パネル１００には、たとえば液晶（ＬＣＤ）からなる各種ディスプレイ装置とタッチパネルおよびハードウェア・キーが備えられているが、詳細は後述する。
【００３７】
前記入力装置２００は、図示しないキーボードやマウスなどから構成されている。認証装置３００は接触型／非接触型のＩＣカード認証装置や指静脈認証装置等で構成され、画像出力装置４００は、プリンタ出力機能を実現するものである。
【００３８】
さらにデジタルカラー複合機は、ＣＰＵ１０１を有し、ＣＰＵ１０１のバスには、ＲＯＭ１０２、ＲＡＭ１０３、ハードディスクドライブ（ＨＤＤ）からなる記憶部１０４、通信制御部１０５、操作パネル制御部１０６、入力装置制御部１０７、認証装置制御部１０８、印刷装置制御部１０９、および構成定義情報管理部５００等が接続されている。
【００３９】
前記ＣＰＵ１０１は、デジタルカラー複合機の全体の動作を統括制御するものであり、前記ＲＯＭ１０２はＣＰＵ１０１の動作プログラムが格納されたメモリであり、前記ＲＡＭ１０３は、ＣＰＵ１０１が動作する際の作業領域を提供するためのメモリである。
【００４０】
前記記憶部１０４は、コピー画像やパーソナルコンピュータＡ〜Ｃ等のプリント指示端末からの画像データを一時格納したり、スキャンされた画像データ等を記憶部１０４内に形成されたＢＯＸと称される記憶領域へ保存したり、その他アプリケーションや各種のデータを保存する。
【００４１】
通信制御部１０５は、パーソナルコンピュータ２０や他の外部装置との間で、ネットワークを介してデータの送受信を行うものである。
【００４２】
操作パネル制御部１０６は、操作パネル１００に対する入出力等を制御する。具体的には、液晶ディスプレイに表示する画像の駆動制御や、近接検出の判定等の近接センサーの制御、タッチ検出領域（アクティブエリア）の変更やタッチした座標の検出等のタッチパネル１００１の制御、ハードウェアキーの制御、ＬＥＤ／ブザーによる表示及び警告音の制御等を行なう。
【００４３】
入力装置制御部１０７は入力装置２００に対する制御を行う。認証装置制御部１０８は認証装置３００に対する制御を行うとともに、デジタルカラー複合機の全体のセキュリティ認証の制御を行っている。印刷装置制御部１０９は画像出力装置４００に対する制御を行う。構成定義情報管理部５００は、デジタルカラー複合機で定義されている情報を管理するものである。
【００４４】
次に、図４を参照して操作パネル１００の構成を説明する。
【００４５】
操作パネル１００は、液晶（ＬＣＤ）からなるディスプレイ１０００、タッチパネル１００１、図示しない表示用ＬＥＤ、ハードウェアキー１００４等から構成される。タッチパネル１００１は、ディスプレイ１０００の表示画面の前面（上面）に配置された近接センサーを含むタッチパネルセンサー部１００２と、タッチパネル制御用のマイクロコンピュータ（マイコン）１００３が搭載されたフレキシブル基板（ＦＰＣ）とが一体化したモジュールで構成されている。
【００４６】
これらの液晶ディスプレイ１０００、タッチパネル１００１、ハードウェアキー１００４は、それぞれ操作パネル制御部１０６と接続されている。また、操作パネル制御部１０６は、液晶ディスプレイ１０００に表示する画像の駆動制御や、近接センサーやタッチパネル１００１の制御、ハードウェアキー１００４の制御、さらにはＬＥＤ／ブザーによる表示及び警告音の制御等を行っている。
【００４７】
本実施形態におけるタッチパネル１００１の詳細構成を、図５を参照して説明する。
【００４８】
タッチパネル１００１は静電型タッチパネルであり、ガラス上に形成された透明電極５１を備えるＩＴＯ（Ｉｎｄｉｕｍ  Ｔｉｎ  Ｏｘｉｄｅ）ガラス５２とカバーレンズ５３が張り合わされて構成されている。
【００４９】
図５（Ａ）の平面図に示すように、タッチパネル１００１には、液晶の表示エリア（斜線部）と一致する態様で、タッチパネル１００１のアクティブエリアつまりタッチ検出領域５４が、枠囲みで示したように方形状に形成されるとともに、周囲にはＩＴＯのＸ軸／Ｙ軸それぞれの端部電極および電極配線が施され、各電極配線は前述のフレキシブル基板上のセンサーＩＣの端子に接続されている。
【００５０】
タッチパネル１００１の電極配線については、静電型センサーの特性上からその検出性能が近傍導体の影響を受けやすいが、ある程度のクリアランスを設けることでその影響を回避できる。図５（Ｂ）の断面図に示すように、本実施形態のＩＴＯガラス５１には、前述の電極配線から約３ｍｍのクリアランスを維持して、透明電極５１の外側の位置において同一ガラス面上に異なる静電方式の近接センサーのアンテナパターン５５ａ〜５５ｄが設けられている。これらのアンテナパターン５５ａ〜５５ｄは、方形状のタッチ検出領域５４の周囲に存在する左右上下の額縁各辺部６０ａ〜６０ｄに対応して分割して構成され、それぞれのアンテナパターン５５ａ〜５５ｄは操作パネル１００内の静電方式の近接センサーＩＣの端子に接続されている。これによってタッチパネル１００１の額縁各辺部６０ａ〜６０ｄ毎に、ユーザーの掌等の近接を検出できるものとなされている。
【００５１】
なお、前述したように、近接センサーのアンテナパターン５５ａ〜５５ｄを、静電型タッチパネルの透明電極５１が形成されているガラス５２上に設けることで、構成が簡素化されコストを安価にできる。
【００５２】
次に、図６を参照して、本発明の実施形態におけるタッチパネル１００１のタッチ検出領域５４の縮小制御について説明する。
【００５３】
図６（Ａ）〜（Ｄ）は、オペレータの掌が液晶タッチパネル１００１の額縁各辺部６０ａ〜６０ｄに近接した場合のタッチ検出領域５４を縮小したイメージ図である。
【００５４】
図６（Ａ）は、左側の額縁辺部６０ａに掌が近接した場合で、図６（Ｂ）は右側の額縁辺部６０ｂに掌が近接した場合、図６（Ｃ）は上側の額縁辺部６０ｃに掌が近接した場合、図６（Ｄ）は下側の額縁辺部６０ｄに掌が近接した場合である。それぞれ通常のタッチ検出領域から内側に１０〜１５ｍｍ程度だけ非検出領域５４ａ〜５４ｄが形成されるように、タッチ検出領域５４が縮小制御される。また、同時に非検出領域５４ａ〜５４ｄ分だけ液晶ディスプレイ１０００の描画エリアを縮小したり、掌が近接した額縁辺部と反対側に非検出領域分だけ描画エリアをずらす（シフトさせる）ように描画制御を行っても良い。また、描画エリアを縮小した状態でシフトさせても良い。
【００５５】
次に、図７のフローチャートを参照して、操作入力装置において実施される、ユーザー近接判別結果に基づくタッチ検出領域の変更処理について説明する。
【００５６】
この処理は、操作パネル制御部１０６のＣＰＵにおいて実行されるが、ＣＰＵ１０１がＲＯＭ等の記憶媒体に記憶された動作プログラムに従って動作することにより行われても良い。
【００５７】
操作パネル１００に電源が投入されると、近接センサーがリセットされ、近接検出処理が開始される（ステップ１）。次いで、ユーザーの掌等がタッチパネル１００１の額縁部６０ａ〜６０ｄ近傍に近接したか否かを判別するために、静電容量が第１のしきい値に達したか否かを判断する（ステップ２）。
【００５８】
第１のしきい値に達していなければ（ステップＳ２でＮＯ）、そのまま近接検出を継続する。第１のしきい値に達してユーザーの近接有りと判断された場合は（ステップ２でＹＥＳ）、静電容量が第１のしきい値よりも大きい第２のしきい値に達したか否かを判断する（ステップ３）。第２のしきい値に達していない場合は（ステップＳ３でＮＯ）、通常の座標検出処理（ステップＳ９）を実施し、処理を終了する。一方、第２のしきい値に達している場合は、掌等が近接していると考えられるため、上下左右それぞれの該当する掌近接フラグをセットし（ステップＳ４）、タッチ検出領域の変更処理を実行する（ステップＳ５）。この処理については後述する。
【００５９】
次に、近接状態が解除されたかどうか、換言すれば静電容量が第２のしきい値以下となったか否かを判別し（ステップＳ６）、解除されなかった場合は（ステップＳ６でＮＯ）、ステップＳ５に戻って、タッチ検出領域変更処理を継続する。なお、ステップＳ６における静電容量が第２のしきい値以下となったか否かの判別は、所定の時間間隔（例えば１０ｍｓ）で繰り返し実行される。一方、近接状態が解除された場合は（ステップＳ６でＹＥＳ）、前記掌近接フラグをリセットする（ステップＳ７）。そして、タッチ検出領域の縮小処理を解除して元の大きさに復帰させ（ステップＳ８）、処理を終了する。
【００６０】
次に、図７のフローチャートにおけるステップＳ５のタッチ検出領域の変更処理について、図８のフローチャートを参照して説明する。
【００６１】
なお、この実施形態では、図８に示す処理は、掌の接近のない通常のルーチンの中での検出座標取得処理としても用いられており、そのため、操作パネル制御部１０６は、前述した掌近接フラグを参照し、掌検出されているか否かを判断する（ステップＳ５１）。検出されていなければ（ステップＳ５１でＮＯ）、掌等がタッチパネルに接触する恐れはないのでタッチ検出領域５４の全領域が有効であり、ユーザがタッチした座標のデータを取得したのち（ステップＳ５８）、取得した座標データを補正することなくそのまま座標バッファに格納して（ステップＳ５７）、通常のルーチンにリターンする。
【００６２】
一方、掌検出されていれば（ステップＳ５１でＹＥＳ）、掌検出フラグの近接位置情報を参照し（ステップＳ５２）、額縁上辺部６０ｃ／額縁下辺部６０ｄ／額縁左辺部６０ａ／額縁右辺部６０ｄの近接有無情報に従い、対応する辺部においてタッチ検出領域（アクティブエリア）５４を縮小する（ステップＳ５３）。
【００６３】
次いで、タッチ検出領域５４の縮小に合わせて、液晶ディスプレイ１０００の描画エリアも縮小及び／またはシフトさせる（ステップＳ５４）。
【００６４】
次に、ユーザがタッチした座標（検出座標）のデータを取得した後（ステップＳ５５）、前記取得した座標データに対して座標補正処理を実行する（ステップＳ５６）。例えば、タッチ非検出領域５４ａ〜５４ｄをタッチした場合はそのタッチを無効とし、タッチ検出領域５４内をタッチした場合は、座標データを補正する。そして、補正後の座標データを座標バッファに格納し（ステップＳ５７）、図７のルーチンにリターンする。
【００６５】
座標バッファに格納された補正後の座標データに応じてアプリケーションの応答が実行される。
【００６６】
このようにして、近接が検出された場合は該当する額縁辺部６０ａ〜６０ｄにおいてタッチ検出領域５４が縮小されるから、縮小分の非検出領域５４ａ〜５４ｄにユーザがタッチしてもそのタッチは無効となり、誤操作を防止できる。しかも、ユーザーの手が実際にタッチする前に近接が検出されるから、タッチしたときにはそのタッチを無効とすることができ、ユーザーがタッチパネルにタッチした時点から掌か否かを判別する技術に比べて、応答性の点で格段に優れたものとなり、座標検出タイミングがタッチ動作に連動するような応答性が要求される場合であっても十分に対応することができる。
【符号の説明】
【００６７】
１        複合機本体
５１      透明電極
５２      ＩＴＯガラス
５３      カバーレンズ
５４      タッチ検出領域（アクティブエリア）
５５ａ〜５５ｄ  近接センサーのアンテナパターン
６０ａ〜６０ｄ  額縁辺部
１０１    ＣＰＵ
１０６    操作パネル制御部
１０００  液晶ディスプレイ
１００１  タッチパネル
【図１】
0005641003.tif 000002
【図２】
0005641003.tif 000003
【図３】
0005641003.tif 000004
【図４】
0005641003.tif 000005
【図５】
0005641003.tif 000006
【図６】
0005641003.tif 000007
【図７】
0005641003.tif 000008
【図８】
0005641003.tif 000009